(57)【要約】      （修正有）【課題】加湿器内に水垢が固着しない塩水噴霧試験装置を提供すること。【解決手段】外気をエアコンプレッサ１に通して圧縮空気を形成し、エアコンプレッサ１から通気圧力を調整して空気飽和器２に通してエアを噴霧ノズル３ａ，３ｂから吐出させて、噴霧ノズルから吐出させた塩溶液をミストとして噴霧塔４より試験槽５内に噴霧させる塩水噴霧試験装置１０において、加湿器６とエアコンプレッサに接続されたバブリング用配管７を設け、エアコンプレッサが作動している間、エアコンプレッサから加湿器へもエアを導入することにより、加湿器の水垢付着を防止する。【選択図】図１
0003105298.tif 000002
【実用新案登録請求の範囲】
【請求項１】
外気をエアコンプレッサに通して圧縮空気を形成し、エアコンプレッサから通気圧力を調整して空気飽和器に通してエアを噴霧ノズルから吐出させて、噴霧ノズルから吐出させた塩溶液をミストとして噴霧塔より試験槽内に噴霧させる塩水噴霧試験装置において、加湿器とエアコンプレッサに接続されたバブリング用配管を設け、エアコンプレッサが作動している間、エアコンプレッサから加湿器へもエアを導入することにより、加湿器の水垢付着を防止することを特徴とする塩水噴霧試験装置。
【請求項２】
前記配管の出口を複数に分岐し、分岐出口の口径又は長さが異なり、分岐出口から泡径又は流量の違うエアを加湿器に噴出し、加湿器内の水に乱流又は渦を生じさせることを特徴とする請求項１記載の塩水噴霧試験装置。
【請求項３】
前記配管の出口から噴出させた泡を加湿器内のヒータに当てて、ヒータの水垢付着を防止することを特徴とする請求項１記載の塩水噴霧試験装置。
【請求項４】
前記配管に複数個の穴を設け、各穴から泡を加湿器に噴出し、加湿器内の水を対流させることを特徴とする請求項１記載の塩水噴霧試験装置。
【考案の詳細な説明】
【技術分野】
【０００１】
本考案は、塩水噴霧試験装置に関する。
【背景技術】
【０００２】
従来の塩水噴霧試験装置においては、加湿は、水を一定量導入した加湿器にヒータを入れて温め、蒸気を発生させていた（例えば、特許文献１参照）。
【特許文献１】特許第３３００９２８号公報（図１）
【０００３】
しかし、従来の塩水噴霧試験装置においては、加湿器内の水がヒータによって加温され水分が蒸発することにより水分中のシリカ成分等が濃縮されて、やがて加湿器の底面や側面やヒータに水垢となって固着するという問題があった。ヒータに水垢が固着すると効率が悪くなる、故障の原因になる等の原因となっていた。
【考案の開示】
【考案が解決しようとする課題】
【０００４】
本考案が解決しようとする問題点は、加湿器の底面や側面やヒータに水垢が固着する点である。
【０００５】
本考案は、かかる問題を鑑みてなされたものであり、したがって、本考案の目的は、加湿器内に水垢が固着しない塩水噴霧試験装置を提供することにある。
【課題を解決するための手段】
【０００６】
上記目的を達成するために、本考案の塩水噴霧試験装置は、外気をエアコンプレッサに通して圧縮空気を形成し、エアコンプレッサから通気圧力を調整して空気飽和器に通してエアを噴霧ノズルから吐出させて、噴霧ノズルから吐出させた塩溶液をミストとして噴霧塔より試験槽内に噴霧させる塩水噴霧試験装置において、加湿器とエアコンプレッサに接続されたバブリング用配管を設け、エアコンプレッサが作動している間、エアコンプレッサから加湿器へもエアを導入することにより、加湿器の水垢付着を防止することを特徴とするものである。
【０００７】
本考案の塩水噴霧試験装置は、好ましくは、前記配管の出口を複数に分岐し、分岐出口の口径又は長さが異なり、分岐出口から泡径又は流量の違うエアを加湿器に噴出し、加湿器内の水に乱流又は渦を生じさせる。
【０００８】
本考案の塩水噴霧試験装置は、前記配管の出口から噴出させた泡を加湿器内のヒータに当てて、ヒータの水垢付着を防止することが好ましい。
【０００９】
また、本考案の塩水噴霧試験装置は、前記配管に複数個の穴を設け、各穴から泡を加湿器に噴出し、加湿器内の水を対流させることが好ましい。
【考案の効果】
【００１０】
本考案の塩水噴霧試験装置は、上述したとおりであるので、加湿器内に水垢が固着しない。また、ヒータに水垢が固着しないため、熱効率が良くなり、また故障も少なくなる。さらに、大幅なコストアップなしに水垢付着防止を実現することができる。
【考案を実施するための最良の形態】
【００１１】
本考案の最良の形態について、以下に図を用いて説明する。
【実施例１】
【００１２】
図１は、本考案の塩水噴霧試験装置の実施例１の構成図である。
【００１３】
図１に示した本考案の実施例１の塩水噴霧試験装置（１０）は、試験槽（５）、エアコンプレッサ（１）、加湿器（６）、バブリング用配管（７）、分岐出口（８ａ、８ｂ、８ｃ、８ｄ）、空気飽和器（２）を有する。試験槽（５）内には、噴霧ノズル（３ａ、３ｂ）を有する噴霧塔（４）が備えてある。
【００１４】
エアコンプレッサ（１）では、外気を通して圧縮空気を形成し、通気圧力を調整して、空気飽和器（２）にエアを送入して、噴霧塔（４）の噴霧ノズル（３ａ）からエアを吐出させて、噴霧ノズル（３ｂ）より吐出させた塩溶液をミストとして噴霧塔（４）上部から試験槽（５）内に噴霧させる。
【００１５】
さらに、エアコンプレッサ（１）には、バブリング用配管（７）が接続されている。バブリング用配管（７）は、加湿器（６）に接続され、エアコンプレッサ（１）から、加湿器（６）にエアを送ることができる。エアコンプレッサ（１）は、試験時は空気飽和器（２）にエアを送入するため、作動している。停止時にも、任意に作動が可能である。
【００１６】
加湿器（６）に導入されたエアが泡として加湿器内の水中に発生し、水に乱流や渦を引き起こし、水が対流する。水垢は、水が滞留することにより沈降するシリカ成分等により引き起こされるが、水の対流により、水垢が加湿器の壁や底に沈降したり、こびりついたりすることを防止でき、また、エア導入停止時に沈降した固形物等も対流により除去できる。
【００１７】
本考案の塩水噴霧試験装置の実施例１によれば泡によって発生する乱流又は渦によって水が対流し、水が滞留している時間を少なくできるので、加湿器内に水垢が固着しない。水垢防止のために、新たな装置を導入することなく、従来噴霧のために使用していたエアコンプレッサを利用し、配管を増設するだけですむので、大幅なコストアップを免れることができる。
【００１８】
本考案の塩水噴霧試験装置の実施例１においては、バブリング用配管（７）は、出口が分岐出口（８ａ、８ｂ、８ｃ、８ｄ）の四叉に分かれている。各出口の長さはそれぞれ異なる。出口の長さが異なることにより、それぞれの出口からは流量の異なるエアが加湿器に噴出され、加湿器内の水に乱流又は渦を生じさせる。各出口からの泡は、ヒータに当たり、ヒータに水垢が付着するのを防止する。
【００１９】
出口の長さをそれぞれ異なる長さにする代わりに出口の口径を代えて、発生する泡径の大きさが異なるようにすることにより、加湿器内の水に乱流又は渦を生じさせてもよい。
【００２０】
また、出口がひとつでも水垢付着防止効果はあるが、２以上の出口に分岐した方が、乱流発生にはより効果的である。
【００２１】
分岐出口にそれぞれ網目の形状や大きさが異なるメッシュを張って泡径の異なる泡を発生させることにより、加湿器内の水に乱流又は渦を生じさせてもよい。
【実施例２】
【００２２】
図２は、本考案の塩水噴霧試験装置の実施例２の構成図である。図２は、バブリング用配管（７）には、複数個の穴（９ａ、９ｂ、９ｃ、９ｄ）が設けてあり、それぞれの穴から泡を加湿器に噴出させる。噴出させた泡により水に対流を発生させ、水垢が付着するのを防止する。
【００２３】
本考案の塩水噴霧試験装置の実施例２によれば泡によって発生する乱流又は渦によって水が対流し、水が滞留している時間を少なくできるので、加湿器内に水垢が固着しない。水垢防止のために、新たな装置を導入することなく、従来より噴霧のために使用していたエアコンプレッサを利用し、配管を増設するだけですむので、大幅なコストアップを免れることができる。
【図面の簡単な説明】
【００２４】
【図１】本考案の塩水噴霧試験装置の実施例１の構成図である。
【図２】本考案の塩水噴霧試験装置の実施例２の構成図である。
【符号の説明】
【００２５】
１  エアコンプレッサ
２  空気飽和器
３  噴霧ノズル
４  噴霧塔
５  試験槽
６  加湿器
７  バブリング用配管
８  分岐出口
９  穴
１０  塩水噴霧試験装置
【図１】
0003105298.tif 000003
【図２】
0003105298.tif 000004